【事件の表示】
　特願２００４−　６５６９６「画像表示装置及び画像表示方法」拒絶査定不服審判事件〔平成１７年　９月２２日出願公開、特開２００５−２５７７６１〕について、次のとおり審決する。
【結　論】
　本件審判の請求は、成り立たない。
【理　由】
１．手続の経緯
　本願は、平成１６年３月９日の出願であって、特許請求の範囲について平成２２年３月４日付けで補正がなされ（以下、「補正１」という。）、平成２２年５月３１日付けで補正がなされ（以下、「補正２」という。）、平成２２年６月１７日付け（送達：同年６月２２日）で拒絶査定がされ、これに対し、同年９月１６日に拒絶査定不服審判が請求されると同時に明細書及び特許請求の範囲についての手続補正（以下、「本件補正」という。）がなされたものである。
　
２．本件補正についての補正却下の決定
［補正却下の決定の結論］
本件補正を却下する。
［理由］
（１）補正の内容
　本件補正は、特許請求の範囲の請求項１を次のとおり補正するものである。
（補正前）
「照明光の調光処理と画像信号の階調数の伸張処理とによって表示画像が調整される画像表示装置であって、
　前記表示画像の明るさを特徴付ける画像パラメータを画像信号から単位時間毎に抽出する画像パラメータ抽出手段と、
　前記画像パラメータ抽出手段で抽出された画像パラメータに基づいて前記調光処理に係る調光制御パラメータを決定し、該調光制御パラメータに基づいて前記調光処理を行わせる調光制御手段と、
　前記画像パラメータ抽出手段で抽出された画像パラメータに基づいて前記伸張処理に係る伸張制御パラメータを決定し、該伸張制御パラメータに基づいて前記伸張処理を行う伸張処理手段とを備えてなり、
　前記伸張処理手段は、入力可能な最大階調より小さい階調を、出力可能な最大階調まで伸張させるような階調特性に基づいて、入力した画像信号の最大階調が伸張処理後、前記出力可能な最大階調より低い階調となるように前記伸張制御パラメータを決定し、伸張処理をなすものであることを特徴とする画像表示装置。」
（補正後）
「照明光の調光処理と画像信号の階調数の伸張処理とによって表示画像が調整される画像表示装置であって、
　前記表示画像の明るさを特徴付ける画像パラメータを画像信号から単位時間毎に抽出する画像パラメータ抽出手段と、
　前記画像パラメータ抽出手段で抽出された画像パラメータに基づいて前記調光処理に係る調光制御パラメータを決定し、該調光制御パラメータに基づいて前記調光処理を行わせる調光制御手段と、
　前記画像パラメータ抽出手段で抽出された画像パラメータに基づいて前記伸張処理に係る伸張制御パラメータを決定し、該伸張制御パラメータに基づいて前記伸張処理を行う伸張処理手段とを備えてなり、
　前記伸張処理手段は、入力可能な最大階調より小さい階調を、出力可能な最大階調まで伸張させるような階調特性に基づいて、入力した画像信号の最大階調が伸張処理後、前記出力可能な最大階調より低い階調となるように前記伸張制御パラメータを決定し、伸張処理をなすものであ
り、且つ、　前記伸張処理手段は、入力した画像信号の最小階調から該画像信号の最大階調までの全ての階調を一定の伸張係数を用いて伸張処理す
　
　この補正は、請求項１に記載した発明を特定するために必要な事項である「伸張処理手段」について「
入力した画像信号の最小階調から該画像信号の最大階調までの全ての階調を一定の伸張係数を用いて伸張処理する
　そこで、本件補正後の前記請求項１に記載された発明（以下、「本願補正発明」という。）が特許出願の際独立して特許を受けることができるものであるかについて以下に検討する。
　
（２）引用例記載の事項・引用発明
　原査定の拒絶の理由に引用され、本願出願前に頒布された刊行物である特開２００２?３６６１２１号公報（以下「引用例」という。）には、「映像表示装置および映像表示方法」（発明の名称）に関し、次の事項（ａ）ないし（ｅ）が図面とともに記載されている。
（ａ）「【発明の属する技術分野】本発明は映像表示装置および映像表示方法に関し、より特定的には、映像信号の階調性の補正制御、および光変調表示素子と光源からなる表示装置における光源輝度の制御により、高画質化を実現する映像表示装置および映像表示方法に関する。」（段落【０００１】）
（ｂ）「この第２の従来装置では、入力映像信号の最大値を検出し、最大値が高い場合は光源輝度を上げ、最大値が低い場合は光源輝度を下げる。この第２の従来装置以外にも、入力映像信号の平均輝度（ＡＰＬ）を検出し、光源輝度を制御するものも考案されている。」（段落【００１０】）
（ｃ）「図３７、図３８を用いて、入力映像信号の特徴検出結果と光源制御レベルの関係の一例について説明する。入力映像信号１は、ＬＰＦ２１に入力され、ＬＰＦ２１において孤立点情報の除去が行われる。ＡＰＬ検出部２４は、ＬＰＦ２１の出力信号に基づいて、フィールド毎あるいはフレーム毎にＡＰＬを検出する。ＡＰＬ検出部２４で検出されたＡＰＬ信号は、光源制御データ作成部１０５に入力され、ＡＰＬレベルに応じた光源制御データが生成される。この光源制御データは、光源駆動回路１０２に入力される。
　図３８に、ＡＰＬ信号と光源制御レベルの関係を示す。ＡＰＬレベルが最も高い場合（ＡＰＬ＝１００％）、すなわち最も明るい映像の場合は、光源制御レベルを最大レベルＬ２（ｍａｘ）とし、ＡＰＬレベルが最も低い場合（ＡＰＬ＝０％）、すなわち最も暗い映像の場合は、光源制御レベルを最低レベルＬ１（ｍｉｎ）とする。ＡＰＬレベルが０％〜１００％の間のレベルの場合は、ＡＰＬレベルに応じて光源制御レベルをＬ１（ｍｉｎ）からＬ２（ｍａｘ）まで変化させる。なお、光源は、一般に、安定に点灯する条件範囲が限定される。よって、光源１０３のレベル制御は、図３８に示すように光源１０３の安定点灯領域で行う。このような構成、光源制御方法により、相対的なコントラスト比を上げることができる。」（段落【００１２】〜【００１３】）
（ｄ）「【発明の実施の形態】以下、本発明の種々の実施形態について、図面を参照して説明する。
（第１の実施形態）図１、図２に、本発明の第１の実施形態に係る映像表示装置の構成を示す。図１に示す映像表示装置は、自発光表示素子を用いた場合の構成であり、映像信号特徴検出部２と、階調補正制御データ作成部３と、映像信号処理回路４と、表示素子駆動部５と、表示素子６と、マイコン７と、タイマー８とを備える。図２に示す映像表示装置は、単一あるいは複数枚の透過型あるいは反射型の光変調作用を有する表示素子に対して光源からの光を照射することによって映像を表示する映像表示装置、いわゆる直視型液晶表示装置やプロジェクタの場合の構成であり、図１に示す自発光表示素子を用いた場合の構成に加えて、光源駆動回路１０２と、光源１０３と、光学系１０４とをさらに備える。なお、光学系１０４については、表示装置によって個別のものが用いられる。また、光学系１０４を備えない表示装置もある。以下、第１の実施形態の動作について説明する。
　本実施形態において、映像表示装置には、入力映像信号１が供給される。入力映像信号１は、映像信号処理部４および映像信号特徴検出部２に入力される。映像信号特徴検出部２は、入力映像信号１の輝度信号成分から単位フィールド期間毎、あるいは単位フレーム毎に映像信号の特徴を示す信号レベル（最小値、最大値、ＡＰＬなど）を検出し、検出結果を階調補正制御データ作成部３へ出力する。階調補正制御データ作成部３は、映像信号の特徴検出結果に応じた階調補正制御データを作成する。作成された階調補正制御データは、映像信号処理回路４に入力される。映像信号処理回路４は、入力映像信号１および階調補正制御データ作成部３からの階調補正制御データに基づいて、乗算およびその他の演算処理、コントラスト制御、ブライト制御等の基本的な信号処理を行う。表示素子駆動部５は、映像信号処理回路４の処理結果に基づいて表示素子６に映像を表示する。なお、映像信号処理回路４および表示素子駆動部５での信号処理については周知のため、詳しい説明を省略する。マイコン７およびタイマー８は、映像信号の特徴検出における時間軸制御を行うために、映像信号特徴検出部２に対して制御を行う。
　図２に示す映像表示装置の場合には、上記の動作に加えて、映像表示装置内で生成される光源駆動制御信号１０１が、光源駆動回路１０２に入力される。光源駆動回路１０２は、光源駆動制御信号１０１に応じた駆動条件で光源１０３を駆動する。光源１０３から発光された光は、光学系１０４により収束され、表示素子６の表示範囲に対応した照明光として表示素子６に照射される。
　以下、映像信号特徴検出部２および階調補正制御データ作成部３における階調補正処理について、より具体的に説明する。
　図３に示すように、映像信号特徴検出部２は、ＬＰＦ２１と、最大値検出部２２と、最小値検出部２３とを含む。入力映像信号１の輝度信号成分は、ＬＰＦ２１に入力される。ＬＰＦ２１は、輝度信号成分の水平方向、垂直方向の少なくとも一方向の孤立点情報を除去する。最大値検出部２２と最小値検出部２３では、ＬＰＦ２１の出力から、単位フィールド期間毎、あるいは単位フレーム毎に入力映像信号の輝度成分の最大値、最小値を検出する。検出結果は、階調補正制御データ作成部３に入力される。階調補正制御データ作成部３は、映像信号の特徴検出結果に応じた階調補正制御データを作成し、映像信号処理回路４に出力する。
　図４に示すように、階調補正制御データ作成部３は、階調補正開始点制御回路３２と、階調補正ゲイン制御回路３３と、補正後最大値検出部３４とを含む。階調補正制御データ作成部３に入力された映像信号特徴検出部２の検出結果は、階調補正ゲイン制御回路３３に入力される。一方、図５に示す予め規定された階調補正開始点に対応した階調補正開始点信号３１が、階調補正開始点制御回路３２に入力され、補正開始制御信号として、階調補正ゲイン制御回路３３に入力される。階調補正ゲイン制御回路３３は、映像信号特徴検出部２からの出力である最大値検出部２２の検出結果ＩＳｍａｘ、および階調補正開始点制御回路３２からの出力である補正開始点制御信号に基づいて、入力信号レベルＩＳｘ〜ＩＳｍａｘに対する階調補正ゲインを算出し、図５の点線で示す入力信号レベル（補正前特性Ｋｉｎ）に応じて、図５の実線で示す補正後特性Ｋ０ｏｕｔとなるような補正データを生成する。補正後最大値検出部３４は、補正データの最大値を検出し、検出結果と出力信号ダイナミックレンジ（出力Ｄレンジ）の最大値ＭＡＸとの最大値比較を行い、階調補正後の最大値が出力信号ダイナミックレンジ（出力Ｄレンジ）の最大値ＭＡＸと一致するように、階調補正ゲイン制御回路３３に対して制御を行う。一方、映像信号特徴検出部２からの出力である最小値検出部２３の検出結果ＩＳｍｉｎも階調補正ゲイン制御回路３３に入力され、階調補正ゲイン制御回路３３は、入力された最小値ＩＳｍｉｎが入力信号に対する階調補正開始レベルＩＳｘより大きい場合には、階調補正開始レベルがＩＳｍｉｎとなるような補正データを生成する。
　以上の動作により、第１の実施形態によれば、入力映像信号の比較的暗い信号レベルにおいては原画信号に対して階調の伸張補正や圧縮補正を行わず、入力映像信号レベルの中間階調付近から明るい信号レベルについてのみ限定して入力映像信号の最大値レベルに応じて階調の伸張補正を行うことにより、映像のシーンに応じて、暗いシーンでの黒浮きの発生や原信号のもつ暗部のノイズ感を顕在化させるような不具合を発生させることなく、明るいシーンでの明るさ感の不足を改善することができ、コントラスト感を高めることができる。」（段落【００６１】〜【００６７】）
（ｅ）「次に、第１の実施形態の変形例について説明する。
（第１の実施形態に対する第１の変形例）図６〜図７を参照して、第１の実施形態に対する第１の変形例について説明する。なお、第１の変形例が第１の実施形態と異なる点は、階調補正制御データ作成部３の代わりに階調補正制御データ作成部１１を備える点のみである。したがって、映像表示装置の全体構成の図示を省略するとともに、図１に示す構成と同一の構成については同一の参照符号を付して説明する。以下、第１の変形例について、第１の実施形態との相違点を中心に説明する」（段落【００６８】）
（ｆ）「本変形例において、階調補正制御データ作成部１１は、図６に示すように、階調補正開始点制御回路３２と、階調補正ゲイン制御回路３３と、補正後最大値検出部３４と、最大値リミット回路３５とを含む。映像信号特徴検出部２の検出結果は、階調補正制御データ作成部１１において、階調補正ゲイン制御回路３３に入力される。一方、図７に示す予め規定された階調補正開始点に対応した階調補正開始点信号３１が、階調補正開始点制御回路３２に入力され、補正開始点制御信号として、階調補正ゲイン制御回路３３に入力される。階調補正ゲイン制御回路３３は、映像信号特徴検出部２からの出力である最大値検出部２２の検出結果ＩＳｍａｘ、および階調補正開始点制御回路３２からの出力である補正開始点制御信号に基づいて、入力信号レベルＩＳｘ〜ＩＳｍａｘに対する階調補正ゲインを算出し、図７の点線で示す入力信号レベル（補正前特性Ｋｉｎ）に応じて、図７の実線で示す補正後特性Ｋ１ｏｕｔとなるような補正データを生成する。補正後最大値検出部３４は、補正データの最大値を検出し、検出結果と最大値リミット回路３５で予め規定した図７に示す最大リミット値Ｐ１ｍａｘとの最大値比較を行い、階調補正後の最大値が最大リミット値Ｐ１ｍａｘと一致するように、階調補正ゲイン制御回路３３に対して制御を行う。一方、第１の実施形態と同様に、映像信号特徴検出部２からの出力である最小値検出部２３の検出結果ＩＳｍｉｎも階調補正ゲイン制御回路３３に入力され、階調補正ゲイン制御回路３３は、入力された最小値ＩＳｍｉｎが入力信号に対する階調補正開始レベルＩＳｘより大きい場合には、階調補正開始レベルがＩＳｍｉｎとなるような補正データを生成する。」（段落【００６９】）
　
・前記記載（ａ）より、
（ア）「光源輝度の制御と入力映像信号の階調性の補正制御とによって高画質化を実現する映像表示装置」との技術事項が読み取れる。
・前記記載（ｂ）、（ｃ）及び図３７より、
（イ）「入力映像信号の平均輝度を特徴付けるＡＰＬを入力映像信号からフレーム毎に検出する映像信号特徴検出部２０２」との技術事項が読み取れる。
・前記記載（ｃ）及び図３７より、
（ウ）「映像信号特徴検出部２０２で検出されたＡＰＬに基づいて光源制御データを生成し、該光源制御データに基づいて光源１０３のレベルを制御する光源制御データ作成部１０５」との技術事項が読み取れる。
　前記記載（ｆ）に依れば、階調補正ゲイン制御回路（すなわち階調補正データ作成部１１）は「入力された最小値ＩＳｍｉｎが入力信号に対する階調補正開始レベルＩＳｘより大きい場合には、階調補正開始レベルがＩＳｍｉｎとなるような補正データを生成する」ことから、階調補正データ作成部１１がＩＳｍａｘとＩＳｍｉｎとに基づいて補正データを生成する場合を含むことになる。
・このことを考慮すると、前記記載（ｄ）、（ｅ）及び（ｆ）より、
（エ）「映像信号特徴検出部２０２からの出力であるＩＳｍａｘ、ＩＳｍｉｎに基づいて階調補正ゲインを算出し、該階調補正ゲインに基づいて伸張補正を行う階調補正制御データ作成部１１」との技術事項が読み取れる。
・前記記載（ｄ）、（ｆ）及び図７より、
（オ）「階調補正制御データ作成部１１は、入力信号の最大値ＩＳｍａｘを、出力信号の最大リミット値Ｐ１ｍａｘまで伸張させるような補正後特性Ｋ１ｏｕｔに基づいて、入力信号の最大値ＩＳｍａｘが伸張処理後、出力信号の最大リミット値Ｐ１ｍａｘになるように階調補正ゲインを決定し、伸張処理をなす」との技術事項が読み取れる。
・前記記載（ｄ）、（ｅ）（ｆ）、図７及び前記（ウ）で既述した「階調補正データ作成部１１がＩＳｍａｘとＩＳｍｉｎとに基づいて補正ゲインを生成する場合を含むこと」より、
（カ）「階調補正制御データ作成部１１は、ＩＳｍｉｎからＩＳｍａｘまでの全ての階調を一定の階調補正ゲインを用いて伸張補正を行う」との技術事項が読み取れる。
　
　以上の技術事項（ア）ないし（カ）を総合勘案すると、引用例には次の発明が記載されているものと認められる。
「光源輝度の制御と入力映像信号の階調性の補正制御とによって高画質化を実現する映像表示装置であって、
　入力映像信号の平均輝度を特徴付けるＡＰＬを入力映像信号からフレーム毎に検出する映像信号特徴検出部２０２と、
　前記映像信号特徴検出部２０２で検出されたＡＰＬに基づいて光源制御データを生成し、該光源制御データに基づいて光源１０３のレベルを制御する光源制御データ作成部１０５と、
　前記映像信号特徴検出部２０２からの出力であるＩＳｍａｘ、ＩＳｍｉｎに基づいて階調補正ゲインを算出し、該階調補正ゲインに基づいて伸張補正を行う階調補正制御データ作成部１１とを備えてなり、
　前記階調補正制御データ作成部１１は、入力信号の最大値ＩＳｍａｘを、出力信号の最大リミット値Ｐ１ｍａｘまで伸張させるような補正後特性Ｋ１ｏｕｔに基づいて、入力信号の最大値ＩＳｍａｘが伸張処理後、出力信号の最大リミット値Ｐ１ｍａｘになるように前記階調補正ゲインを決定し、伸張処理をなすものであり、且つ、
　前記階調補正制御データ作成部１１は、ＩＳｍｉｎからＩＳｍａｘまでの全ての階調を一定の階調補正ゲインを用いて伸張補正を行う映像表示装置。」（以下、「引用発明１」という。）
  
（３）対比
　本願補正発明と引用発明１とを対比する。
ア まず、引用発明１における「光源輝度の制御」、「入力映像信号」、「階調性の補正制御」、「高画質化を実現する」、「映像表示装置」、「入力映像信号の平均輝度」、「ＡＰＬ」、「フレーム毎」、「検出する」、「映像信号特徴検出部２０２」、「光源制御データ」、「生成」、「光源１０３のレベルを制御する」、「光源制御データ作成部１０５」、「ＩＳｍａｘ，ＩＳｍｉｎ」、「階調補正ゲイン」、「算出」、「伸張補正」、「階調補正制御データ作成部１１」、「補正後特性Ｋ１ｏｕｔ」、「入力信号の最大値ＩＳｍａｘ」、「出力信号の最大リミット値Ｐ１ｍａｘ」、「ＩＳｍｉｎ」及び「一定の階調補正ゲイン」は、本願補正発明の「照明光の調光処理」、「画像信号」、「階調数の伸張処理」、「表示画像が調整される」、「画像表示装置」、「表示画像の明るさ」、「画像パラメータ」、「単位時間毎」、「抽出する」、「画像パラメータ抽出手段」、「調光処理に係る調光制御パラメータ」、「決定」、「調光処理を行わせる」、「調光制御手段」、「画像パラメータ」、「伸張処理に係る伸張制御パラメータ」、「決定」、「伸張処理」、「伸張処理手段」、「階調特性」、「入力した画像信号の最大階調」、「出力可能な最大階調より低い階調」、「入力した画像信号の最小階調」及び「一定の伸張係数」にそれぞれ相当する。
イ　また、引用発明１の「映像信号特徴検出部２０２からの出力であるＩＳｍａｘ、ＩＳｍｉｎに基づいて階調補正ゲインを算出」することも、本願補正発明の「前記画像パラメータ抽出手段で抽出された画像パラメータに基づいて前記伸張処理に係る伸張制御パラメータを決定」することも、共に、「画像パラメータ抽出手段で抽出された画像パラメータに基づいて前記伸張処理に係る伸張制御パラメータを決定」する点で共通している。
ウ  また、引用発明１の「入力信号の最大値ＩＳｍａｘを、出力信号の最大リミット値Ｐ１ｍａｘまで伸張させるような補正後特性Ｋ１ｏｕｔ」も、本願補正発明の「入力可能な最大階調より小さい階調を、出力可能な最大階調まで伸張させるような階調特性」も、共に、「伸張させるような階調特性」である点で共通している。
　
エ　してみると、両者の一致点、相違点は、以下のとおりである。
（一致点）
「照明光の調光処理と画像信号の階調数の伸張処理とによって表示画像が調整される画像表示装置であって、
　前記表示画像の明るさを特徴付ける画像パラメータを画像信号から単位時間毎に抽出する画像パラメータ抽出手段と、
　前記画像パラメータ抽出手段で抽出された画像パラメータに基づいて前記調光処理に係る調光制御パラメータを決定し、該調光制御パラメータに基づいて前記調光処理を行わせる調光制御手段と、
　画像パラメータ抽出手段で抽出された画像パラメータに基づいて前記伸張処理に係る伸張制御パラメータを決定し、該伸張制御パラメータに基づいて前記伸張処理を行う伸張処理手段とを備えてなり、
　前記伸張処理手段は、階調特性に基づいて、入力した画像信号の最大階調が伸張処理後、前記出力可能な最大階調より低い階調となるように前記伸張制御パラメータを決定し、伸張処理をなすものであり、且つ、
　前記伸張処理手段は、入力した画像信号の最小階調から該画像信号の最大階調までの全ての階調を一定の伸張係数を用いて伸張処理する画像表示装置。」
（相違点）
・相違点１：伸張させるような階調特性について、
  本願補正発明では、「入力可能な最大階調より小さい階調を、出力可能な最大階調まで伸張させるような」階調特性としているのに対し、引用発明１では「入力信号の最大値ＩＳｍａｘを、出力信号の最大リミット値Ｐ１ｍａｘまで伸張させるような」階調特性としている点。
・相違点２：画像パラメータについて、
  本願補正発明では、「前記画像パラメータ抽出手段で抽出された画像パラメータに基づいて前記伸張処理に係る伸張制御パラメータを決定し、」とあるように、調光処理と伸張処理とで同じ画像パラメータを使うと解されるのに対し、引用発明１では、「映像信号特徴検出部２０２からの出力であるＩＳｍａｘ、ＩＳｍｉｎに基づいて階調補正ゲインを算出し、」とあるように、調光処理と伸張処理とで異なる画像パラメータを使う点。
  
（４）判断
　前記相違点について検討する。
ア　相違点１について
　引用発明１における「入力信号の最大値ＩＳｍａｘ」は、フレーム毎に異なる値を取るものである。この点については、引用例に、「映像信号特徴検出部２は、入力映像信号１の輝度信号成分から単位フィールド期間毎、あるいは単位フレーム毎に映像信号の特徴を示す信号レベル（最小値、最大値、ＡＰＬなど）を検出し」（段落【００６２】）、「映像信号特徴検出部２からの出力である最大値検出部２２の検出結果ＩＳｍａｘ」（段落【００６６】）と記載されており（「（２）（ｄ）」）、また、引用例の図７に表示された入力信号レベルＩＳｍａｘはある１フレームにおける入力信号の最大値を示すものと解されることからも把握できる。
　また、出力信号レベルは、引用例の図７における出力信号レベルのＭＡＸを上限とする。
　これらのことを考慮すると、全フレームに亘っての入力信号レベルは、引用例の図７において、補正特性Ｋ１ｏｕｔのグラフを上方に延長してＭＡＸレベル（すなわち最大出力信号レベル）を表す水平線との交点を示す横軸座標値（以下、「ＩＳ０」という。）を上限値とするものと解され、全フレームに亘っての補正特性Ｋ１ｏｕｔ（階調特性）は該交点まで延長されたものとして解するのが自然である。
　このことを踏まえて前記相違点１を検討すると、引用発明１における（全フレームに亘っての）階調特性は「ＩＳ０をＭＡＸレベルまで伸張させるような」階調特性といえることになるが、ここで、「ＩＳ０」、「ＭＡＸレベル」は、それぞれ、 本願補正発明における「入力可能な最大階調より小さい階調」、「出力可能な最大階調」に相当するものである。
　したがって、引用発明１における（全フレームに亘っての）階調特性と、本願補正発明における階調特性とは、結局、同じ内容を表現していることになり、両者の間に実質的な差異はない。
　
イ　相違点２について
  画像表示装置において、調光処理と伸張処理とを同じ画像パラメータに基づいて行うことは周知な技術事項である。この点については、例えば、原審で引用された特開２００３?１２１９２６号公報（発明の名称：投写型表示装置とその駆動方法、出願人：セイコーエプソン株式会社）の、特に、「【００３７】・・・ヒストグラムに含まれる最も明るい階調数が１９０であるので、この階調数１９０を照度の制御信号とする」との記載や、「【００４７】・・・照度の制御信号が階調数１９０の場合、階調数０〜１９０までの映像信号を・・・階調数０〜２５５まで伸張する。」との記載を参照のこと。
  したがって、引用発明１で伸張処理を行う際に、上記周知技術を適用し、調光処理における画像パラメータと同じ画像パラメータを伸張処理においても使うようにすることは、当業者ならば容易に想到し得たことである。
  
　そして、本願補正発明の作用効果も、引用発明１及び周知技術から当業者が予測可能なものであって格別のものではない。
　したがって、本願補正発明は、引用発明１及び周知技術に基づいて当業者が容易に発明をすることができたものであるから、同法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項で準用する同法第１２６条第５項の規定に違反するものであるから、同法第１５９条第１項において読み替えて準用する同法第５３条第１項の規定により却下すべきものである。
　
３．本願発明について
（１）本願発明
　本件補正は前記のとおり却下されたので、本願の請求項１ないし９に係る発明は、補正１及び補正２によって補正された明細書、特許請求の範囲及び図面の記載からみて、その特許請求の範囲の請求項１ないし９に記載された事項により特定されるとおりのものと認められるところ、その請求項１に係る発明は次のとおりである。
「照明光の調光処理と画像信号の階調数の伸張処理とによって表示画像が調整される画像表示装置であって、
　前記表示画像の明るさを特徴付ける画像パラメータを画像信号から単位時間毎に抽出する画像パラメータ抽出手段と、
　前記画像パラメータ抽出手段で抽出された画像パラメータに基づいて前記調光処理に係る調光制御パラメータを決定し、該調光制御パラメータに基づいて前記調光処理を行わせる調光制御手段と、
　前記画像パラメータ抽出手段で抽出された画像パラメータに基づいて前記伸張処理に係る伸張制御パラメータを決定し、該伸張制御パラメータに基づいて前記伸張処理を行う伸張処理手段とを備えてなり、
　前記伸張処理手段は、入力可能な最大階調より小さい階調を、出力可能な最大階調まで伸張させるような階調特性に基づいて、入力した画像信号の最大階調が伸張処理後、前記出力可能な最大階調より低い階調となるように前記伸張制御パラメータを決定し、伸張処理をなすものであることを特徴とする画像表示装置。」（以下、「本願発明」という。）
　
（２）引用例記載の事項・引用発明１
　原査定の拒絶の理由に引用された発明・事項は、前記「２．（２）引用例記載の事項・引用発明」に記載したとおりである。
　
（３）対比・判断
　本願発明は、前記「２．（１）補正の内容」で検討した本願補正発明から「伸張処理手段」についての限定事項である「
入力した画像信号の最小階調から該画像信号の最大階調までの全ての階調を一定の伸張係数を用いて伸張処理する
　そうすると、本願発明の発明特定事項をすべて含み、さらに他の発明特定事項を付加したものに相当する本願補正発明が、前記「２．（３）対比」、「２．（４）判断」に記載したとおり、引用発明１及び周知技術に基づいて当業者が容易に発明をすることができたものであるから、本願発明も同様の理由により、引用発明１及び周知技術に基づいて当業者が容易に発明をすることができたものである。
　
（４）予備的検討
　以上のとおり、本願発明は、引用発明１及び周知技術に基づいて当業者が容易に発明をすることができたものであるが、引用発明１とは別の該引用例に記載された発明（以下、「引用発明２」という。）に基づく容易想到性についても検討しておく。
ア  引用例の記載事項・引用発明
　引用例には既述した記載事項「２．（２）（ａ）ないし（ｄ）」に加え、下記の事項（ｇ）、（ｈ）が記載されている。
（ｇ）「（第２の実施形態に対する第３の変形例）図２０〜図２１を参照して、本実施形態に対する第３の変形例について説明する。なお、第１の変形例が第２の実施形態と異なる点は、階調補正制御データ作成部５３の代わりに階調補正制御データ作成部５７を備える点のみである。したがって、映像表示装置の全体構成の図示を省略するとともに、第２の実施形態と同一の構成については同一の参照符号を付して説明する。以下、第３の変形例について、第２の実施形態との相違点を中心に説明する。」（段落【００９７】）
（ｈ）「本変形例において、階調補正制御データ作成部５７は、図２０に示すように、階調補正開始点制御回路１３２と、階調補正ゲイン制御回路１５３と、補正後最大値検出部３４と、最大値リミット回路３７とを含む。映像信号特徴検出部５２の検出結果は、階調補正制御データ作成部５７において、階調補正開始点制御回路１３２、階調補正ゲイン制御回路１５３、およびゲイン切替え点制御回路１３６に入力される。階調補正開始点制御回路１３２は、映像信号特徴検出部５２から出力される最小値、最大値、ＡＰＬ、およびヒストグラム分布情報に基づいて演算処理を行い、入力映像信号のシーンに応じて、図２１に示す階調補正開始点に対応した階調補正開始点信号を算出し、算出された階調補正開始点信号が、補正開始点制御信号として、階調補正ゲイン制御回路１５３に入力される。また、ゲイン切替え点制御回路１３６は、映像信号特徴検出部５２から出力される最小値、最大値、ＡＰＬ、およびヒストグラム分布情報に基づいて演算処理を行い、入力映像信号のシーンに応じて、図２１に示すゲイン切替え点に対応したゲイン切替え点信号を算出し、算出されたゲイン切替え点信号が、ゲイン切替え点制御信号として、階調補正ゲイン制御回路１５３に入力される。
　階調補正ゲイン制御回路１５３は、映像信号特徴検出部５２における最大値検出部２２の検出結果ＩＳｍａｘ、階調補正開始点制御回路１３２からの出力である補正開始点制御信号、およびゲイン切替え点制御回路１３６からの出力であるゲイン切替え点制御信号に基づいて、入力信号レベルＩＳｘ〜ＩＳｙ、および入力信号レベルＩＳｙ〜ＩＳｍａｘに対する各々の階調補正ゲインを算出し、図２１の点線で示す入力信号レベル（補正前特性Ｋｉｎ）に応じて、図２１の実線で示す補正後特性Ｋ３ｏｕｔとなるような補正データを生成する。補正後最大値検出部３４は、補正データの最大値を検出し、検出結果と最大値リミット回路３５で予め規定した図２１に示す最大リミット値Ｐ２ｍａｘとの最大値比較を行い、階調補正後の最大値が最大リミット値Ｐ２ｍａｘと一致するよう、階調補正ゲイン制御回路１５３に対して制御を行う。また、入力信号レベルの最大値ＩＳｍａｘが入力信号レベルのゲイン切替え点ＩＳｙより小さい場合には、階調補正後の最大値が最大リミット値Ｐ２ｍａｘと一致するように、階調補正ゲイン制御回路１４３に対して制御を行う。一方、第２の実施形態と同様に、映像信号特徴検出部５２における最小値検出部２３の検出結果ＩＳｍｉｎも階調補正ゲイン制御回路１５３に入力され、階調補正制御回路１３３は、入力された最小値ＩＳｍｉｎが入力信号に対する階調補正開始レベルＩＳｘより大きい場合には、階調補正開始レベルがＩＳｍｉｎとなるような補正データを生成する。」（段落【００９８】〜【００９９】）
　前記記載（ｈ）及び図２０によれば、階調補正制御データ作成部５７中の補正後最大値検出部３４は、入力信号レベルの最大値ＩＳｍａｘが入力信号レベルのゲイン切替え点ＩＳｙより小さい場合には、階調補正後の最大値が最大リミット値Ｐ２ｍａｘと一致するように、階調補正ゲイン制御回路１４３に対して制御を行う。
　また、「入力された最小値ＩＳｍｉｎが入力信号に対する階調補正開始レベルＩＳｘより大きい場合には、階調補正開始レベルがＩＳｍｉｎとなるような補正データを生成する」ことから、階調補正制御データ作成部５７がＩＳｍａｘとＩＳｍｉｎとに基づいて補正データを生成する場合を含むことになる。
　この場合の階調特性は、図７において階調補正制御データ作成部１１（階調補正制御データ作成部５７に対応）がＩＳｍａｘとＩＳｍｉｎとに基づいて補正データを生成する場合と同様のグラフになる。
・このことを考慮すると、前記記載（ｇ）（ｈ）及び図２０より、
（エ´）「映像信号特徴検出部５２からの出力であるＩＳｍａｘ、ＩＳｍｉｎに基づいて階調補正ゲインを算出し、該階調補正ゲインに基づいて伸張補正を行う階調補正制御データ作成部５７」との技術事項が読み取れる。
・前記記載（ｈ）及び図２０、図２１より、
（オ´）「階調補正制御データ作成部５７は、入力信号の最大値ＩＳｍａｘを、出力信号の最大リミット値Ｐ２ｍａｘまで伸張させるような補正後特性Ｋ３ｏｕｔに基づいて、入力信号の最大値ＩＳｍａｘが伸張処理後、出力信号の最大リミット値Ｐ２ｍａｘになるように階調補正ゲインを決定し、伸張処理をなす」との技術事項が読み取れる。
　前記技術事項「２．（ア）ないし（ウ）」及び上記技術事項（エ´）、（オ´）を総合勘案すると、引用例には次の発明が記載されているものと認められる。ここで、映像信号特徴検出部２０２は対応する映像信号特徴検出部５２で置き換えている。
（引用発明２）　
「光源輝度の制御と入力映像信号の階調性の補正制御とによって高画質化を実現する映像表示装置であって、
　入力映像信号の平均輝度を特徴付けるＡＰＬを入力映像信号からフレーム毎に検出する映像信号特徴検出部５２と、
　前記映像信号特徴検出部５２で検出されたＡＰＬに基づいて光源制御データを生成し、該光源制御データに基づいて光源１０３のレベルを制御する光源制御データ作成部１０５と、
　映像信号特徴検出部５２からの出力であるＩＳｍａｘ、ＩＳｍｉｎに基づいて階調補正ゲインを算出し、該階調補正ゲインに基づいて伸張補正を行う階調補正制御データ作成部５７とを備えてなり、
　前記階調補正制御データ作成部５７は、入力信号の最大値ＩＳｍａｘを、出力信号の最大リミット値Ｐ２ｍａｘまで伸張させるような補正後特性Ｋ３ｏｕｔに基づいて、入力信号の最大値ＩＳｍａｘが伸張処理後、出力信号の最大リミット値Ｐ２ｍａｘになるように階調補正ゲインを決定し、伸張処理をなすものである映像表示装置。」
　
イ　対比
　本願発明と引用発明２とを対比する。
（ア）　前記「２．（３）ア」で説示した相当関係に加え、引用発明２における「映像信号特徴検出部５２」、「階調補正制御データ作成部５７」、「補正後特性Ｋ３ｏｕｔ」及び「出力信号の最大リミットＰ２ｍａｘ」は、本願発明における「画像パラメータ抽出手段」、「伸張処理手段」、「階調特性」及び「出力可能な最大階調より低い階調」に、それぞれ相当する。
（イ）また、引用発明２の「映像信号特徴検出部５２からの出力であるＩＳｍａｘ、ＩＳｍｉｎに基づいて階調補正ゲインを算出」することも、本願補正発明の「前記画像パラメータ抽出手段で抽出された画像パラメータに基づいて前記伸張処理に係る伸張制御パラメータを決定」することも、共に、「画像パラメータ抽出手段で抽出された画像パラメータに基づいて前記伸張処理に係る伸張制御パラメータを決定」する点で共通している。
（ウ）また、引用発明２の「入力信号の最大値ＩＳｍａｘを、出力信号の最大リミット値Ｐ２ｍａｘまで伸張させるような補正後特性Ｋ３ｏｕｔ」も、本願発明の「入力可能な最大階調より小さい階調を、出力可能な最大階調まで伸張させるような階調特性」も、共に、「伸張させるような階調特性」である点で共通している。
　
（エ）してみると、両者の一致点、相違点は、以下のとおりである。（一致点）
「照明光の調光処理と画像信号の階調数の伸張処理とによって表示画像が調整される画像表示装置であって、
　前記表示画像の明るさを特徴付ける画像パラメータを画像信号から単位時間毎に抽出する画像パラメータ抽出手段と、
　前記画像パラメータ抽出手段で抽出された画像パラメータに基づいて前記調光処理に係る調光制御パラメータを決定し、該調光制御パラメータに基づいて前記調光処理を行わせる調光制御手段と、
　画像パラメータ抽出手段で抽出された画像パラメータに基づいて前記伸張処理に係る伸張制御パラメータを決定し、該伸張制御パラメータに基づいて前記伸張処理を行う伸張処理手段とを備えてなり、
　前記伸張処理手段は、階調特性に基づいて、入力した画像信号の最大階調が伸張処理後、前記出力可能な最大階調より低い階調となるように前記伸張制御パラメータを決定し、伸張処理をなすものである画像表示装置。」
（相違点）
・相違点３：伸張させるような階調特性について、
  本願発明では、「入力可能な最大階調より小さい階調を、出力可能な最大階調まで伸張させるような」階調特性としているのに対し、引用発明２では「入力信号の最大値ＩＳｍａｘを、出力信号の最大リミット値Ｐ２ｍａｘまで伸張させるような」階調特性としている点。
・相違点４：画像パラメータについて、
   本願発明では、「前記画像パラメータ抽出手段で抽出された画像パラメータに基づいて前記伸張処理に係る伸張制御パラメータを決定し、」とあるように、調光処理と伸張処理とで同じ画像パラメータを使うと解されるのに対し、引用発明２では、「映像信号特徴検出部５２からの出力であるＩＳｍａｘ、ＩＳｍｉｎに基づいて階調補正ゲインを算出し、」とあるように、調光処理と伸張処理とで異なる画像パラメータを使う点。
  
ウ　判断
　前記相違点について検討する。
（ア）相違点３について
　引用発明２における階調特性を表すグラフ（図２１）について検討する。
・入力信号レベルの最大値ＩＳｍａｘが入力信号レベルのゲイン切替え点ＩＳｙより小さい場合（この場合、階調補正後の最大値が最大リミット値Ｐ２ｍａｘと一致する。）、及び
・入力された最小値ＩＳｍｉｎが入力信号に対する階調補正開始レベルＩＳｘより大きい場合（この場合、階調補正開始レベルがＩＳｍｉｎとなる。）を考える。
　引用発明２における「入力信号の最大値ＩＳｍａｘ」は、フレーム毎に異なる値を取るものであり、また、出力信号レベルは引用例の図２１における出力信号レベルのＭＡＸを上限とするものである。（この点については、前記「２．（４）ア」を参照のこと。）
　これらのことを考慮すると、全フレームに亘っての入力信号レベルは、引用例の図２１において、補正後特性Ｋ３ｏｕｔのグラフ（を上方に延長してＭＡＸレベル（すなわち最大出力信号レベル）を表す水平線との交点を示す横軸座標値（以下、「ＩＳ１」という。）を上限値とするものと解され、全フレームに亘っての補正特性Ｋ３ｏｕｔ（階調特性）は該交点まで延長されたものとして解するのが自然である。
　このことを踏まえた上で前記相違点３を検討すると、引用発明２における（全フレームに亘っての）階調特性は「ＩＳ１をＭＡＸレベルまで伸張させるような」階調特性といえることになるが、ここで、「ＩＳ１」、「ＭＡＸレベル」は、それぞれ、本願発明における「入力可能な最大階調より小さい階調」、「出力可能な最大階調」に相当する。
　したがって、引用発明２における（全フレームに亘っての）階調特性と、本願発明における階調特性とは、結局、同じ内容を表現していることになり、両者の間に実質的な差異はない。
（イ）相違点４について、
　前記「２．（４）イ　相違点２について」に記載したと同様である。
　
（５）むすび
　以上のとおり、本願発明は、引用発明１及び周知技術に基づいて当業者が容易に発明をすることができたものであり、また、引用発明２及び周知技術に基づいて当業者が容易に発明をすることができたものでもあるから、同法第２９条第２項の規定により特許を受けることができない。
　したがって、他の請求項に係る発明について審理するまでもなく、本願は拒絶すべきものである。
　よって、結論のとおり審決する。